(57)【特許請求の範囲】
【請求項１】
入水管および出湯管を備えた熱交換器と、その熱交換器を加熱するガスバーナとを備えた一般給湯系のほかに、その一般給湯系の出湯管より分岐して浴槽へ継がれ、浴槽の湯水に高温湯を足し湯する高温差湯給湯系を備え、前記一般給湯系の入水管と出湯管との間に前記熱交換器をバイパスしてバイパス管が設けられると共に、該バイパス管にはこのバイパス管路を開閉するバイパス弁が設けられ、前記高温差湯給湯系を介して浴槽へ高温差湯が行なわれているときには前記バイパス弁が開状態にあり、そのとき前記一般給湯系が開かれたときにその高温湯が前記バイパス管を流れる水によってミキシングされて一般給湯系より出湯されるようにした高温差湯型給湯器において、
前記高温差湯給湯系が閉状態で前記一般給湯系が開状態のとき前記バイパス管路のバイパス弁を開閉して前記一般給湯系の入水管を流れる流水量の変化を検知する流量変化検知手段と、
該流量変化検知手段からの検知信号によりバイパス弁を開閉動作させても前記検知信号に変化がないときにバイパス弁が故障していると判断するバイパス弁故障判断手段とを備え、該バイパス弁故障判断手段によりバイパス弁が故障していると判断されたときに浴槽への高温給湯が禁止されるように構成したことを特徴とする高温差湯型給湯器。
【請求項２】
前記バイパス弁の開閉動作を一般給湯開始直後、出湯温が安定する迄の間に行うことを特徴とする請求項１記載の高温差湯型給湯器。
【発明の詳細な説明】
【０００１】
【産業上の利用分野】
本発明は、台所や洗面台の蛇口あるいはシャワー等より湯を出湯させる一般給湯系のほかに浴槽へ高温度の湯を足し湯して浴槽の湯水温度を上げさせる高温差湯給湯系を備えた高温差湯型給湯器に関し、さらに詳しくは、その高温差湯給湯系を介して浴槽に高温度の湯を足し湯している最中に台所や洗面台の蛇口あるいはシャワー等の一般給湯系に湯が流れるようにした高温差湯型給湯器に関するものである。
【０００２】
【従来の技術】
従来、一般家庭などにおいて用いられるこの種の高温差湯型給湯器では、台所や洗面台の蛇口あるいはシャワー等より湯を出湯させる一般給湯系のほかに、浴槽に高温度の湯を足し湯して浴槽の湯水温度を上げさせる高温差湯給湯系を備えたものがすでに知られている。
【０００３】
図７は、その従来一般的に知られている高温差湯型給湯器の概略構成を示している。この図に示すものは、入水管２１と出湯管２２とが配設される熱交換器２３と、この熱交換器を加熱するガスバーナ２４とを備え、ガスバーナ２４のガス管路にガス比例弁２５や図示しないガス電磁弁を設ける一方、前記出湯管２２は台所や洗面台の蛇口あるいはシャワー等へ案内されている。
【０００４】
そして前記出湯管２２より分岐点ａにて分岐して浴槽４１へ湯を自動的に注湯する自動注湯管２６と、さらに出湯管２２より分岐点ｂにて分岐して前記自動注湯管２６に合流する高温差湯管２７とが配管されており、これらの自動注湯管２６および高温差湯管２７にはそれぞれその管路を開閉する電磁弁２８、２９が設けられている。尚、高温差湯管２７には最大流量を規制する湯ガバナ３０が設けられている。
【０００５】
そして一方、前記入水管２１には水の最大流量を規制する水ガバナ３１とこの入水管を流れる水の流量を検知する流量センサ３２とが設けられ、また前記出湯管２２には熱交換器２３からの出湯温度を検知する出湯温サーミスタ３３、および台所・シャワー等の一般給湯系への水の流れを検知する給湯水流センサ３４が設けられている。
【０００６】
このように構成された給湯器では、浴槽内への湯水温度を上げるべく浴槽への高温差湯給湯を行なっている最中に台所やシャワー等の蛇口を開かれた場合、通常これらの台所やシャワー等への一般給湯が優先するようになっているが、その場合に浴槽への高温差湯用の湯の温度は通常８０℃程度の高温度となっているためにこの高温度の湯がそのまま一般給湯系より出湯されると、使用者はその高温度の湯によって思わぬ火傷（やけど）を負ってしまう等のおそれがあった。
【０００７】
そこでこれの解決として、図８に示したように、前記熱交換器２３を通らずに（バイパスして）、入水管２１と出湯管２２とを直接継ぐバイパス管３６を設け、出湯管２２にはそのバイパス管の接続点ｃより上流側に逆流防止弁３７を設けてそのバイパス管３６を通って入水管２１より流れてきた水が出湯管２２を逆流して自動注湯管２６あるいは高温差湯管２７へ流入しないようにする一方、バイパス管３６にはこれを開閉するバイパス弁３８を設けている。
【０００８】
そして浴槽４１への高温差湯中にはそのバイパス弁３８をコントローラからの指令により開いたままの状態にしておき、台所の蛇口やシャワー等の一般給湯系が開かれた時にその高温度の湯がバイパス管３６を通って入水管２１より供給される水によって直ぐに薄められる（ミキシングされる）ようになっている。これによって使用者が不用意に高温度の湯によって火傷等を負うことが回避されるものである。
【０００９】
【発明が解決しようとする課題】
しかしながら、このようなバイパス管路を備えた高温差湯型給湯器においても次のような問題があった。すなわち、浴槽へ高温度の湯を給湯している最中に台所等の一般給湯系が開かれたときに、通常はバイパス管路のバイパス弁が開いていて高温度の湯が直ちに水によって薄められて温度を下げた状態で一般給湯系より出湯されるものであるが、そのバイパス弁が故障状態にあって開いていないとするとその浴槽へ差湯されていた高温度の湯が水によって薄められない熱い状態のまま一般給湯系より出湯されることになる。
【００１０】
そうすると使用者は、このような熱い湯が出てくることは予期していないためその熱い湯によって思わぬ火傷を負ってしまう等のトラブルが懸念されていた。本発明は、このような問題点を解決するためになされたものであり、その目的とするところは、バイパス管路に設けられるバイパス弁の故障診断機能を備え、そのバイパス弁の故障時には高温差湯給湯が使用できないようにした高温差湯型給湯器を提供することにある。これにより浴槽への高温給湯時に台所等の一般給湯系を使用したときに使用者が思わぬ火傷等を負わないようにするものである。
【００１１】
【課題を解決するための手段】
この目的を達成するため本発明の高温差湯型給湯器は、入水管および出湯管を備えた熱交換器と、その熱交換器を加熱するガスバーナとを備えた一般給湯系のほかに、その一般給湯系の出湯管より分岐して浴槽へ継がれ、浴槽の湯水に高温湯を足し湯する高温差湯給湯系を備え、前記一般給湯系の入水管と出湯管との間に前記熱交換器をバイパスしてバイパス管が設けられると共に、該バイパス管にはこのバイパス管路を開閉するバイパス弁が設けられ、前記高温差湯給湯系を介して浴槽へ高温差湯が行なわれているときには前記バイパス弁が開状態にあり、そのとき前記一般給湯系が開かれたときにその高温湯が前記バイパス管を流れる水によってミキシングされて一般給湯系より出湯されるようにしたものにおいて、前記高温差湯給湯系が閉状態で前記一般給湯系が開状態のとき前記バイパス管路のバイパス弁を開閉して前記一般給湯系の入水管を流れる流水量の変化を検知する流量変化検知手段と、該流量変化検知手段からの検知信号によりバイパス弁を開閉動作させても前記検知信号に変化がないときにバイパス弁が故障していると判断するバイパス弁故障判断手段とを備え、該バイパス弁故障判断手段によりバイパス弁が故障していると判断されたときに浴槽への高温給湯が禁止されるように構成したことを要旨とするものである。
その場合に前記バイパス弁の開閉動作は、一般給湯開始後出湯温が安定するまでの間に行うようにするのがよい。
【００１２】
【作用】
このように構成された本発明の高温差湯型給湯器によれば、台所や洗面台あるいはシャワー等へ通じる一般給湯系を使用の場合には、入水管を通って熱交換器へ導かれた水はガスバーナによって加熱されて出湯管より台所・シャワー等へ案内されて出湯され、また浴槽へ通じる高温差湯給湯系を使用の場合には、その熱交換器で加熱された高温湯が出湯管から浴槽へ案内され、浴槽中の湯水に足し湯され、さらに浴槽への高温差湯給湯系を使用中に台所等の一般給湯系が使用された場合には、その熱交換器で加熱された高温湯はバイパス管を介して導かれた水によって直ちに薄められて湯温を下げた状態で台所等の一般給湯系より出湯される。
【００１３】
そして高温差湯給湯系が閉状態にあり一般給湯系が使用されている間（一般給湯系が開状態のとき）に、バイパス管路のバイパス弁を開閉することにより前記一般給湯系の入水管を流れる流水量の変化が検知され、そのバイパス弁の開閉によって入水管を流れる流水量に変化がないときにはバイパス弁が故障していると判断される。そしてその場合には浴槽への高温給湯が禁止されるので使用者がその高温湯によって火傷を負うようなアクシデントが生じるようなことはない。
そしてその場合にバイパス弁の開閉動作を一般給湯開始後出湯温が安定するまでに行うようにすれば、出湯温度に殆ど影響を与えることなくバイパス弁のチェックが出来る。
【００１４】
【実施例】
以下に、本発明を具体化した一実施例を図面を参照して詳細に説明する。
図１は、本実施例に係る高温差湯型給湯器の概略的な全体構成を示したものである。この高温差湯型給湯器は、入水管１と出湯管２とが配管される熱交換器３と、この熱交換器３を流れる水を加熱するためのガスバーナ４と、出湯管２から分岐して浴槽４１へ湯を供給する浴槽給湯管６と、入水管１から分岐して出湯管２の浴槽給湯管６との分岐部ｂより下流の位置に接続されるバイパス管８と、出湯管２の浴槽給湯管６との分岐部ｂより上流の位置から分岐して浴槽給湯管６に接続される差湯管５とを有している。また、出湯管２のバイパス管８との接続部ｃより下流には、図示しないシャワーや台所等に至る一般給湯管７が接続されている。
【００１５】
前記ガスバーナ４には燃料ガスの流量調整をするガス比例弁２１および図示しないがこのガス管路を開閉するガス電磁弁が設けられる。また入水管１のバイパス管８との分岐部ｅより下流には、水の流量を検出する流量センサ１０が設けられ、一方、上流には水の最大流量を規制する水ガバナ９および入水温度を測定する入水サーミスタ１７がそれぞれ設けられている。バイパス管８には、電磁開閉式のバイパス弁１１が設けられている。
【００１６】
一方出湯管２には、差湯管５との分岐部ａより上流の位置に、熱交換器３からの出湯温度を測定する出湯サーミスタ１２が設けられ、また浴槽給湯管６との分岐部ｂとバイパス管８との接続部ｃとの間の位置に、バイパス管８から浴槽給湯管６への水の流入を防止する逆止弁１５が設けられている。また出湯管２のバイパス管８との接続部ｃより下流の位置には、流れの有無を検知する給湯水流センサ１６が設けられ、一般給湯管７に接続されている。また、浴槽給湯管６には浴槽４１へ自動給湯するときに開弁される注湯電磁弁１４が設けられ、一方差湯管５には浴槽４１へ高温差湯するときに開弁される高温差湯電磁弁１３と最大流量を規制する湯ガバナ２０とがそれぞれ設けられている。
【００１７】
そしてコントローラ１８では前述の流量センサ１０、出湯サーミスタ１２、給湯水流センサ１６及び入水サーミスタ１７から信号を受け、ガス比例弁２１、バイパス弁１１、注湯電磁弁１４、高温差湯電磁弁１３等を制御するようになっている。このコントローラ１８は、公知のＣＰＵ、ＲＯＭ、ＲＡＭ等により構成され、コントローラ１８のＲＯＭには、後述する給湯切換制御等を行うための種々のプログラムが格納されている。また、コントローラ１８はリモコン１９を備え、このリモコン１９により、浴室内や台所等から高温差湯型給湯器を遠隔操作することができる。尚、リモコン１９にはこの高温差湯型給湯器の運転状況を表示するための表示機能や警報機能も有している。
【００１８】
次に、このように構成された高温差湯型給湯器の動作について説明する。この高温差湯型給湯器の動作は、基本的には入水管１から供給される水を熱交換器３においてガスバーナ４の熱で加熱し、その湯を差湯管５あるいは浴槽給湯管６を経て浴槽４１へ供給し、あるいは一般給湯管７を経て台所の蛇口やシャワー等へ供給することである。かかる湯の給湯系の切換は、コントローラ１８により、ガス比例弁２１の開度を調整し、あるいはバイパス弁１１、注湯電磁弁１４および高温差湯電磁弁１３の開閉を制御することにより行われる。以下、この高温差湯型給湯器における、自動湯張り、高温差湯、一般給湯の各給湯動作を説明する。
【００１９】
まず初めに浴槽４１に入浴適温の湯を自動湯張りする場合には、一般給湯系の蛇口やシャワー等が閉じられた状態で、リモコン１９によりコントローラ１８への指令により、高温差湯電磁弁１３は閉じたままで、注湯電磁弁１４が開かれる。このため、熱交換器３から浴槽給湯管６を経て浴槽４１へ湯が流れ、この流れが流量センサ１０により検出されると、ガスバーナ４が点火され、出湯サーミスタ１２の検知水温がリモコン１９で設定された入浴適温、例えば４２℃程度となるようにガス比例弁２１が制御される。
【００２０】
かかる自動湯張りは、浴槽４１を満たすのに必要十分なように、リモコン１９で設定された所定の積算流量に達するまで行われる。自動湯張りが終了すると、注湯電磁弁１４は閉じられて湯の供給が停止され、ガスバーナ４は消火する。また、自動湯張りの終了時には、リモコン１９の警報機能を利用して、その旨が使用者へ知らされる。
【００２１】
次に、浴槽４１に残り湯があり、高温差湯を行って浴槽４２の残り湯に足し湯する場合について説明すると、この場合には前記した自動湯張りと同様に蛇口やシャワー等を閉じた状態でリモコン１９によりコントローラ１８にその旨が指令され、注湯電磁弁１４は閉じられ、高温差湯電磁弁１３及びバイパス管８のバイパス弁１１は開かれる。
【００２２】
このため、熱交換器３から差湯管５を経て浴槽４１へ湯が流れ、この流れが流量センサ１０により検出されて自動湯張りの場合と同様にガスバーナ４が点火され、出湯サーミスタ１２の検知水温が高温、例えば８０℃程度となるようにガス比例弁２１が制御される。この場合には差湯管５に湯ガバナ２０を設けることで流量を制限し、８０℃程度の十分な高温度の湯が得られるものである。なお、バイパス管８のバイパス弁１１は開いているが、逆止弁１５により、浴槽給湯管６への流れが禁じられている。
【００２３】
かかる高温差湯は、予め定められた所定時間行われる。高温差湯が終了すると、高温差湯電磁弁１３は閉じられて湯の供給が停止され、自動湯張りが終了したときと同様にガスバーナ４は消火する。また、高温差湯の開始時には、リモコン１９の警報機能を利用して、その旨が知らされる。
【００２４】
次に、蛇口等の一般給湯を使用する場合を説明する。この場合にはバイパス弁１１、、高温差湯電磁弁１３および注湯電磁弁１４はいずれも閉じられているために熱交換器３から一般給湯管７を経て蛇口等へ湯が流れる。このとき流量センサ１０及び給湯水流センサ１６がオンされ、コントローラ１８の指令によりガスバーナ４が点火され、出湯サーミスタ１２の検知水温が給湯適温、例えば４０℃程度となるようにガス比例弁２１が制御される。蛇口等を閉栓すると、給湯水流センサ１６がオフされ、コントローラ１８の指令によりガスバーナ４が消火される。
【００２５】
かかる高温差湯型給湯器においては、高温差湯を行っている途中で蛇口等を開いた場合には、一般給湯を優先して高温差湯が中断される。しかし、高温差湯のための高温の湯がそのまま蛇口等から出ると危険なので、バイパス管８からの冷水と混合され温度が下げられて一般給湯管７に流入するようになっている。そして、ガス比例弁２１を制御して熱交換器３の出湯温度が下がってから、バイパス弁１１を閉じる給湯切換ルーチンのプログラムがをコントローラ１８により実行される。
【００２６】
図２は、バイパス管路８に設けられるバイパス弁１１の故障診断を行なうための、バイパス弁１１の開閉チェックのタイミングチャートを示したものである。横軸に時間（ｔ）を採り、縦軸に流量センサ１０により検知される水の流量（Ｗ）を採っている。このタイミングチャートには、自動給湯弁（この実施例では、高温差湯電磁弁１３及び注湯電磁弁１４を指す。）がＯＦＦ状態にある（すなわち、浴槽への注湯が行なわれていない状態にある）場合の水流スイッチ（給湯水流センサ１６）のＯＮ／ＯＦＦのタイミングとバイパス弁１１の開閉のタイミング、並びにこれらの作動と流量センサ１０により検知される流量変化との関係が示されている。
【００２７】
かくしてこのタイミングチャートに示されるように、自動給湯弁がＯＦＦの状態においてはバイパス弁１１も閉じられているが、そのときに台所の蛇口が開かれる等により一般給湯系が開かれると、水流スイッチ（給湯水流センサ１６）がＯＮされる。それから流量安定待時間（Ｔ１  ）が経過した時点でバイパス弁１１が開かれ、流量増減チェック異常判定時間（Ｔ４  ）後または、時間中に流量減少判定値を満たした時点でそのバイパス弁１１が閉じられ、閉じられた時点より判定時間（Ｔ４  ）の間の流量戻り判定値（ΔＱ２  ）が検出される。しかる後バイパス弁１１以外の要因による流量変化の有無を確認のため一定の時間（Ｔ３  ）経過の間の流量変化（±ΔＱ３  ）が検出され、最終的にバイパス弁１１の作動の正常・異常が判定されるものである。
【００２８】
図３は、バイパス弁の開閉チェックを複数回繰り返して異常判定をなす場合のタイミングチャートを示したものである。このタイミングチャートでは、自動給湯弁がＯＦＦの状態においてバイパス弁１１も閉じられているが、そのときに台所の蛇口が開かれる等により一般給湯系が開かれることにより水流スイッチ（給湯水流センサ１６）がＯＮされと、流量安定待時間（Ｔ１  ）が経過した時点でバイパス弁１１が開かれ、流量増減チェック異常判定時間（Ｔ４  ）が経過した時点でそのバイパス弁１１が閉じられて、その時間（Ｔ４  ）の間の流量減少判定値（ΔＱ１  ）が検出される。
【００２９】
さらにバイパス弁１１を閉じてから一定時間（Ｔ４  ）経過の間の流量変化（±ΔＱ２  ）が検出される。そして再チェック待ち時間（Ｔ２  ）が経過するのを待って２回目のバイパス弁の開閉チェックを行ない、これをＮ回繰り返すことにより最終的にバイパス弁１１の作動の正常・異常が判定されるものである。このタイミングチャートのようにバイパス弁の開閉チェックを複数回繰り返すようにすれば、そのバイパス弁の正常・異常の判断がより一層正確になされることは言うまでもない。
【００３０】
尚、図２および図３に示したタイミングチャートにおける各種の記号は、以下の通りである。
Ｔ１    ：流量安定待時間（４秒）
Ｔ２    ：再チェック待時間（３秒）
Ｔ３    ：バイパス弁以外の要因による流量変化なし確認時間（２秒）
Ｔ４    ：流量増減チェック異常判定時間（２．５  秒）
ΔＱ１  ：流量減少判定値（１５％）
ΔＱ２  ：流量増加判定値（１５％）
ΔＱ３  ：バイパス弁以外の要因による流量変化有無判定値（１５％）
Ｎ    ：異常判定回数
【００３１】
両タイミングチャートにおいてバイパス弁の開チェックを行なっている間はトータル流量は変化しないので熱交換器の出湯温制御を休止させ、水栓から供給する湯温に変化はほとんどない。
【００３２】
次に図４〜図６に示したフローチャートに従って本発明に係るバイパス弁の故障診断機能について説明する。この判定ルーチンでは、まず初めに異常回数ηの初期化が行なわれ（ステップ１、以下単に「Ｓ１」のように表記する。）、次いで水流スイッチ１６がＯＦＦになっているか否かが判断される（Ｓ２）。
【００３３】
このＳ２で水流スイッチ１６がＯＦＦ状態にある（Ｓ２：「ＹＥＳ」）と判断されれば、次にこの水流スイッチ１６がＯＮされたか否かが判断され（Ｓ３）、このＳ３で水流スイッチ１６がＯＮされた（Ｓ３：「ＹＥＳ」）と判断されれば、タイマ（Ｔ１  ）が起動される（Ｓ４）。
【００３４】
そして自動給湯弁（この実施例では、高温差湯電磁弁１３及び注湯電磁弁１４を指す。）が閉じているか否かが判断され（Ｓ５）、自動給湯弁が閉じている（Ｓ５：「ＹＥＳ」）と判断されれば、バイパス管路のバイパス弁１１が閉じられる（Ｓ６）。
【００３５】
次に前述のタイマ（Ｔ１  ）のカウントが終了したか否かが判断され（Ｓ７）、タイマカウントが終了した（Ｓ７：「ＹＥＳ」）と判断されれば、次に入水管１を流れる水の流量がチェック許可流量を越えたか否かが判断される（Ｓ８）。そしてＳ８で流量がチェック許可流量を越えた（Ｓ８：「ＹＥＳ」）と判断されれば、次にタイマ（判定時間Ｔ４  ）が起動され（Ｓ９）、さらにバイパス管路のバイパス弁１１が開かれる（Ｓ１０）。
【００３６】
そして次にΔＱ１  以上の水量の流れが減少したか否かが判断され（Ｓ１１）、ΔＱ１  以上の水流減が生じていない（Ｓ１１：「ＮＯ」）と判断されておれば、タイマカウント終了を待って（Ｓ１２：「ＹＥＳ」）流量減少フラグ（ＦＧ）を「０」とし、「バイパス弁１１の異常」と判断する（Ｓ１３）ものである。
【００３７】
そして再度、タイマ（判断時間Ｔ４  ）を起動させ（Ｓ１４）、バイパス弁１１を閉じ（Ｓ１５）、しかる後ΔＱ２  以上の流量の増加があったか否かが判断され（Ｓ１６）、ΔＱ２  以上の流量の増加がない（Ｓ１６：「ＮＯ」）と判断されておれば、タイマカウントが終了した時点（Ｓ１７：「ＹＥＳ」）で流量減少フラグ（ＦＧ）が「０」になっているか否かが判断され（Ｓ１８）、この場合には流量減少フラグ（ＦＧ）は「０（異常）」になっているので「ＹＥＳ」と判断されて（Ｓ１８：「ＹＥＳ」）異常回数値「η」が「η＋１」にカウントアップ（インクリメント）される（Ｓ１９）。
【００３８】
そしてこの異常回数値「η」が判定回数を越えていないと判断されれば（Ｓ２０：「ＮＯ」）、再チェックに回され、異常回数値「η」が判定回数に到達したと判断されれば（Ｓ２０：「ＹＥＳ」）、バイパス弁の異常判定がなされて（Ｓ２１）この判定ルーチンが終了する。
【００３９】
異常回数値「η」が判定回数を越えていないと判断された場合の再チェックは、タイマ（再チェック待時間Ｔ２  ）が起動されて（Ｓ２２）後、再度自動給湯弁（高温差湯電磁弁１３及び注湯電磁弁１４）が閉じているか否か（Ｓ５）の判断以降のルーチンフローが実行されることにより行なわれる。
【００４０】
一方、前述のＳ１１においてΔＱ１  以上の水量の減少が生じている（Ｓ１１：「ＹＥＳ」）と判断された場合には、バイパス弁１１の「開」チェックは正常に作動したと判断されて流量減少フラグ（ＦＧ）が「１（正常）」とされる（Ｓ２３）。そしてＳ１４以降のバイパス弁「閉」チェックのルーチンフローの実行がなされるが、バイパス弁１１を閉じた後（Ｓ１５）のΔＱ２  以上の流量の増加があったか否かの判断（Ｓ１６）においてΔＱ２  以上の流量の増加があった（Ｓ１６：「ＹＥＳ」）と判断されれば、次にバイパス弁の「開」チェックも正常か否かの判定ルーチンに移行する。
【００４１】
このバイパス弁の「閉」チェック判定ルーチンでは、初めに流量減少フラグ（ＦＧ）が「１（正常）」となっているか否かが判断され（Ｓ２５）、この場合には前述のＳ２３において流量減少フラグ（ＦＧ）が「１（正常）」となっているので「ＹＥＳ」と判断され（Ｓ２５：「ＹＥＳ」）、次にタイマ（Ｔ３  ）が起動される（Ｓ２６）。そして次にΔＱ３  以上の流量変化が生じないか否かが判断され（Ｓ２７）、ΔＱ３  以上の流量変化は生じていない（Ｓ２７：「ＮＯ」）と判断されれば、タイマカウントの終了を待って（Ｓ２８：「ＹＥＳ」）バイパス弁が正常に作動しているとの判定がなされる（Ｓ２９）。
【００４２】
そしてこの判定ルーチンも終了するものであるが、このＳ２６〜Ｓ２９までのルーチンは、一応Ｓ１６でバイパス弁の「閉」チェックも正常に作動していると推認される一方で、他の要因による流量変化でないことを確認のため実行されるものである。
【００４３】
尚、Ｓ２７でΔＱ３  以上の流量変化があった（Ｓ２７：「ＹＥＳ」）と判断されれば、バイパス弁の正否判定の再チェックに回され、既述のＳ２２以降のルーチンフローの実行が繰り返されることとなる。
【００４４】
一方、前述のバイパス弁「開」チェックのルーチンフローにおいて、Ｓ１３でバイパス弁の「開」チェックが異常であると判断された場合にも、Ｓ１６でΔＱ２  以上の流量増加があった（Ｓ１６：「ＹＥＳ」）と判断される場合があるが、この場合にはバイパス弁の「閉」チェック判定ルーチンにおいて、Ｓ２５で流量減少フラグが「１」ではない（Ｓ２５：「ＮＯ」）と判断され、この場合にもバイパス弁の正否判定の再チェックに回される。Ｓ２２以降のルーチンフローが繰り返して実行される。
【００４５】
また逆に前述のバイパス弁「開」チェックのルーチンフローにおいて、Ｓ２３でバイパス弁の「開」チェックが正常であると判断された場合にも、Ｓ１６でΔＱ２  以上の流量増加がない（Ｓ１６：「ＮＯ」）と判断され、Ｓ１８で流量減少フラグ（ＦＧ）が「０」ではない（Ｓ１８：「ＮＯ」）と判断される場合があるが、この場合にもバイパス弁の正否判定の再チェックに回され、Ｓ２２以降のルーチンフローが繰り返して実行される。
【００４６】
そして最終的には、バイパス弁の異常判定がなされると、コントローラ１８からの指令により高温差湯電磁弁１３が開かないようにし、かつ、リモコン１９にバイパス弁１１の故障表示をなしたり等、使用者に注意をうながしたりすることによりこの給湯器使用上の安全性が担保されるものである。
【００４７】
かくして上記実施例について説明したように、バイパス管路に設けられるバイパス弁の開閉チェックを、一般給湯系が使用されている間に行なわれるようにしておけば、浴槽への差し湯の間にはバイパス弁は正常に開いていて浴槽への差し湯から一般給湯への使用切換えが行なわれたときに直ちにバイパス管を流れる水によって薄められて湯温を下げて出湯されるものであるから利用者が思わぬ火傷（やけど）を負うことは回避される。
【００４８】
そして一般給湯系からの出湯温度が所定の温度まで下がった後はバイパス弁１１を閉じることにより蛇口等からの出湯温度の安定状態が得られるものである。またバイパス弁１１の開閉動作を一般給湯開始後出湯温が安定するまでの間に行うようにすれば、出湯温度に殆ど影響を与えることなくバイパス弁の故障診断チェックができるので使用上全く問題は生じない。
【００４９】
本発明は、上記実施例に何ら限定されるものではなく、本発明の要旨を逸脱しない範囲にて種々の変形・改良が可能であることはもちろんである。たとえば、この実施例に示した給湯器には追焚き機能が備わっていないが、追焚機能を備えた高温差湯型給湯器にも適用できるものである。
【００５０】
また上記実施例では浴槽への給湯として自動注湯系と高温差湯給湯系とを並列的に備えたものについて説明したが、これに把われるものではなく、たとえば自動注湯系と高温差湯給湯系とを１本の給湯管路で兼用し、その給湯管路に設けられる開閉弁の開度をたとえばモータ駆動により調節することにより自動給湯では４０℃程度の通常湯温に、また高温差湯給湯では８０℃程度の高温度の湯温になるようにその流量を可変できるようにしたものにも適用される。
さらにバイパス管路に設けられるバイパス弁は必ずしも電磁弁に限られず、他の形態のものであってもよい。
【００５１】
【発明の効果】
以上説明したことから明かなように、本発明の高温差湯型給湯器では、その一般給湯系の入水管と出湯管との間をバイパスするバイパス管路に設けられるバイパス弁の故障診断を予め行ない故障と判断した場合は、高温差湯給湯を禁止しているために、台所やシャワー等の蛇口を開いて一般給湯系の使用に切換えた際に、不用意にその高温度の湯が一般給湯系より出湯されることは回避され、使用者は不意にその高温度の出湯によって火傷を負うようなこともなく安心して使用できるという利益を有するものである。
【図面の簡単な説明】
【図１】本発明の一実施例に係る高温差湯型給湯器の概略構成を示した全体図である。
【図２】この高温差湯型給湯器におけるバイパス弁の故障診断を行なう際のタイミングチャートである。
【図３】同じくこの高温差湯型給湯器におけるバイパス弁の故障診断のタイミングチャートであるが、このバイパス弁の開閉操作を複数回行なって判定する例を示したものである。
【図４】この高温差湯型給湯器におけるバイパス弁の故障判定ルーチンを説明するフローチャートである。
【図５】図４に示したフローチャートのつづきである。
【図６】図４および図５に示したフローチャートのつづきである。
【図７】従来一般に知られる高温差湯型給湯器の概略構成を示した図である。
【図８】図７に示した高温差湯型給湯器の他の例としてバイパス管路を備えたものの概略構成を示した図である。
【符号の説明】
１    入水管
２    出湯管
３    熱交換器
４    ガスバーナ
５    差湯管
６    浴槽給湯管
７    一般給湯管
８    バイパス管
１０  流量センサ
１１  バイパス弁
１３  高温差湯電磁弁（自動給湯弁）
１６  給湯水流センサ（水流スイッチ）
１８  コントローラ
４１  浴槽
【図１】
0003629620.tif 000002
【図２】
0003629620.tif 000003
【図３】
0003629620.tif 000004
【図４】
0003629620.tif 000005
【図５】
0003629620.tif 000006
【図６】
0003629620.tif 000007
【図７】
0003629620.tif 000008
【図８】
0003629620.tif 000009